(57)【要約】【課題】  開裂時にリッド部を脆弱線に沿って均一に破断させることのできる車両用エアバッグ装置を提供する。【解決手段】  インストルメントパネル２が脆弱線３によってインスト本体４とリッド５とに区画され、且つ脆弱線３の一部にはインスト本体４とリッド５との間にヒンジ部が予め設定されて、リッド５の裏面側に配置されたエアバッグユニットの開裂時にリッド５がヒンジ部周りに回動する一方、インスト本体４にはヒンジ部の近傍にボス部２２，２３が複数設けられ、エアバッグユニットがブラケットを介してボス部２２，２３に固定された車両用エアバッグ装置であって、インスト本体４には、ヒンジ部の近傍に、ボス部２２，２３を通り且つリッド５の中央部を中心にして放射状に延びる複数のメインリブ２１と、各メインリブ２１の間に配置され且つリッド５の中央部を中心にして放射状に延びる複数のサブリブ２４と、が設けられている。【選択図】        図１
2005254863.tif 000002
【特許請求の範囲】
【請求項１】
樹脂製のインストルメントパネルが脆弱線によって固定部とリッド部とに区画され、且つ前記脆弱線の一部には前記固定部と前記リッド部との間にヒンジ部が予め設定されて、前記リッド部の裏面側に配置されたエアバッグユニットの開裂時に、前記リッド部が前記ヒンジ部周りに回動する一方、
前記固定部には前記ヒンジ部の近傍に凸状のボス部が複数設けられ、前記エアバッグユニットがブラケットを介して前記ボス部に固定された車両用エアバッグ装置であって、
前記固定部には、前記ヒンジ部の近傍に、前記ボス部を通り且つ前記リッドの中央部を中心にして放射状に延びる複数のメインリブと、前記複数のメインリブの間に配置され且つ前記リッドの中央部を中心にして放射状に延びる複数のサブリブと、が設けられていることを特徴とする車両用エアバッグ装置。
【請求項２】
前記固定部には、前記ヒンジ部の近傍に、前記メインリブおよび前記サブリブと交わり且つ前記脆弱線に平行な外周リブが複数設けられていることを特徴とする請求項１に記載の車両用エアバッグ装置。
【発明の詳細な説明】
【技術分野】
【０００１】
本発明は、自動車等においてインストルメントパネル内部に設けられる車両用エアバッグ装置に関するものである。
【背景技術】
【０００２】
一般に自動車などの車両においては、緊急時の安全手段としてエアバッグ装置が設置されている。エアバッグ装置は、車体に所定値以上の衝撃力が加わったときに、インストルメントパネルなどの内部に配設されたハウジングに折り畳んで収納されているエアバッグ本体が、インフレータからの圧力気体の供給によって車室内乗員側へ膨出し、所定位置に着座している乗員を受け止めて、乗員がインストルメントパネルなどに衝突しないようにするものである。
【０００３】
内部にエアバッグ本体が配設されたインストルメントパネルの裏側には脆弱線が日の字型に形成され、この脆弱線によってインストルメントパネルは固定部とリッド部とに区画されている。インストルメントパネルの裏面側にはエアバッグユニットがリッド部に対向配置され、固定部にはリッド部のヒンジに相当する箇所の近傍に凸状のボス部が複数設けられ、エアバックユニットはブラケットを介してボス部に固定されている。そして、インストルメントパネルの固定部には、ボス部を通り且つリッド中央部を中心にして放射状に延びる複数のリブ（メインリブ）が設けられ、これらリブによって、インストルメントパネルのリッド部付近の強度が高められている（例えば、特許文献１参照）。
【特許文献１】特開２００２−１４４９９８号公報
【発明の開示】
【発明が解決しようとする課題】
【０００４】
しかしながら、上記従来の技術では、ボス部を通るリブ間の間隔が広く、各リブの先端部分に応力集中が生じやすい構造であるため、エアバッグユニットの開裂時に、リッド部が脆弱線に沿って均一に破断されない場合がある。
【０００５】
本発明の課題は、開裂時にリッド部を脆弱線に沿って均一に破断させることのできる車両用エアバッグ装置を提供することにある。
【課題を解決するための手段】
【０００６】
上記課題を解決するために、請求項１に記載の発明は、樹脂製のインストルメントパネルが脆弱線によって固定部とリッド部とに区画され、且つ前記脆弱線の一部には前記固定部と前記リッド部との間にヒンジ部が予め設定されて、前記リッド部の裏面側に配置されたエアバッグユニットの開裂時に、前記リッド部が前記ヒンジ部周りに回動する一方、前記固定部には前記ヒンジ部の近傍に凸状のボス部が複数設けられ、前記エアバッグユニットがブラケットを介して前記ボス部に固定された車両用エアバッグ装置であって、前記固定部には、前記ヒンジ部の近傍に、前記ボス部を通り且つ前記リッドの中央部を中心にして放射状に延びる複数のメインリブと、前記複数のメインリブの間に配置され且つ前記リッドの中央部を中心にして放射状に延びる複数のサブリブと、が設けられていることを特徴としている。
【０００７】
上記構成によれば、メインリブの間にサブリブが配置されているので、メインリブと脆弱線とが交わる部分に集中していた応力を、サブリブと脆弱線とが交わる部分にも分散させることが可能となり、その結果、エアバッグユニットの開裂時に、リッド部を脆弱線に沿って均一に破断させることができる。
【０００８】
請求項２に記載の発明は、請求項１において、前記固定部には、前記ヒンジ部の近傍に、前記メインリブおよび前記サブリブと交わり且つ前記脆弱線に平行な外周リブが複数設けられていることを特徴としている。
【０００９】
上記構成によれば、ヒンジ部近傍の強度を高めることができるため、インストルメントパネルを成形加工した際にヒンジ部近傍に発生しやすい撓み（ヒケ）を極力抑えることができる。
【発明の効果】
【００１０】
本発明によれば、メインリブの先端部分に応力集中が生じるのを回避することができるため、エアバッグユニットの開裂時に、リッド部を脆弱線に沿って均一に破断させることが可能となる。
【発明を実施するための最良の形態】
【００１１】
以下、本発明の実施例を図面に従って説明する。
【実施例】
【００１２】
図４は、本発明に係る車両用エアバッグ装置が取り付けられたインストルメントパネルの断面図である。車両用エアバッグ装置１は、自動車のフロントウインドウガラス（図示省略）の下方に位置する助手席側のインストルメントパネル２の部分に設けられている。
【００１３】
インストルメントパネル２は樹脂製であり、芯材のみからなるハードパネルとなっている。また、インストルメントパネル２には、助手席側から見てほぼ日の字型（すなわち閉じた形状）に脆弱線３が形成され、この脆弱線３によって、インストルメントパネル２は、固定部としてのインストルメントパネル本体４と、リッド部としてのエアバッグリッド５とに区画されている。
【００１４】
脆弱線３はインストルメントパネル２の裏面に入れられた切り込み線で、その切り込み量は例えばインストルメントパネル２の板厚の約半分に設定されている。このように脆弱線３はインストルメントパネル２の裏面に入れられた切り込み線であるから、インストルメントパネル２の表面側からは確認できず、つまりインストルメントパネル２の表面を見ただけでは、エアバッグリッド５がどこに設けられているかは分からないようになっている。
【００１５】
エアバッグリッド５は、脆弱線３によって車両前後方向Ａに沿って前後２つに展開可能で、前側にエアバッグリッド５Ａが、後側にエアバッグリッド５Ｂがそれぞれ配置されている。エアバッグリッド５の展開時には、図に二点鎖線で示すように、エアバッグリッド５Ａはヒンジ部３Ａ周りに、エアバッグリッド５Ｂはヒンジ部３Ｂ周りにそれぞれ回動する。
【００１６】
枠部材８は後述するエアバッグユニット１２をインストルメントパネル２の裏面に取り付けるためのブラケットを構成している。
【００１７】
また、車両用エアバッグ装置１は、枠部材８に形成されたフック係止孔に対して挿入・係止可能なリッド取付フック１１を有するエアバッグユニット１２を備えている。このように、枠部材８に対しリッド取付フック１１を介してエアバッグユニット１２を取り付けることにより、エアバッグ本体１３展開時の反力をインストルメントパネル２に直接に作用させないようにしている。
【００１８】
エアバッグユニット１２は、圧力気体を噴出する筒状のインフレータ１４を収容可能なインフレータ収容部１５を備えている。このインフレータ収容部１５は、ステアリングサポートメンバなどの図示しない車体側メンバへボルトなどの締結部材１６を用いて締結固定される。
【００１９】
さらに、エアバッグユニット１２は、インフレータ１４から噴出された圧力気体によって膨張・展開されるエアバッグ本体１３が折り畳んだ状態で収納されたエアバッグ本体収納部１７を備えている。
【００２０】
インストルメントパネル本体４の裏面には、図１に示すように、脆弱線３（ここでは、ヒンジ部３Ａ近傍の脆弱線）に沿って外周リブ１８が設けられている。外周リブ１８の外側には直線状の外周リブ１９，２０が設けられ、これら外周リブ１９，２０は外周リブ１８に平行に配置されている。
【００２１】
また、インストルメントパネル本体４の裏面には、脆弱線３（つまり、ヒンジ部３Ａ近傍の脆弱線）の近傍に、エアバッグリッド５の中央部を中心にして放射状に延びる複数のメインリブ２１が設けられている。各メインリブ２１は、外周リブ１８とはＴ字型または略Ｔ字型に交わり、外周リブ１９，２０とは十字型または略十字型に交わっている。メインリブ２１と外周リブ１９との交点には交点一つおきにボス部２２が設けられ、またメインリブ２１と外周リブ２０との交点には同様に交点一つおきにボス部２３が設けられている。これらボス部２２，２３は千鳥足状に配置されている。
【００２２】
本実施例では、各メインリブ２１の間にサブリブ２４が設けられている。各サブリブ２４も、メインリブ２１と同様、エアバッグリッド５の中央部を中心にして放射状に配置され、外周リブ１８とはＴ字型または略Ｔ字型に交わり、外周リブ１９，２０とは十字型または略十字型に交わっている。
【００２３】
図２は、ボス部２２のうちでヒンジ部３Ａの中央付近のボス部２２およびその周囲の詳細構成を示している。ボス部２２は円柱状をなしており、その上面にはスクリュウ孔２５が形成されている。そして、タッピングスクリュウを枠部材８（図４参照）を通してスクリュウ孔２５に結合することにより、枠部材８をインストルメントパネル２の裏面に固定することができるようになっている。
【００２４】
外周リブ１９およびメインリブ２１は、ボス部２２付近ではリブ高さが高くなっており、ボス部２２に対する補強が充分な構造となっている。外周リブ１９およびメインリブ２１は、ボス部２２から所定距離離れた所ではリブ高さが低くなっており、リブ高さの高い部分と低い部分との間には傾斜面が形成されている。また、外周リブ１８は全体に亘ってリブ高さ低くなっている。
【００２５】
図３は、ボス部２３のうちでヒンジ部３Ａの中央付近のボス部２３およびその周囲の詳細構成を示している。ボス部２３も円柱状をなしており、その上面にはスクリュウ孔２６が形成されている。このスクリュウ孔２６の機能は上述したスクリュウ孔２５と同様である。
【００２６】
外周リブ２０およびメインリブ２１は、ボス部２３付近ではリブ高さが高くなっており、ボス部２３に対する補強が充分な構造となっている。外周リブ２０およびメインリブ２１は、ボス部２２から所定距離離れた所ではリブ高さが低くなっており、リブ高さの高い部分と低い部分との間には傾斜面が形成されている。
【００２７】
次に、本実施例の作用について図４を用いて説明する。
【００２８】
インフレータ１４が作動すると、このインフレータ１４から圧力気体が噴出され、エアバッグ本体１３内へと圧力気体が導入される。エアバッグ本体１３は、この圧力気体の導入に伴って膨張（展開）し、この膨張圧力によって、エアバッグリッド５Ａはヒンジ部３Ａを中心にして矢印Ｂのように反時計方向に、エアバッグリッド５Ｂはヒンジ部３Ｂを中心にして矢印Ｃのように時計方向にそれぞれ回動して、インストルメントパネル本体４に開口部が形成される。同時に、この開口部からエアバッグ本体１３が車体斜め後方（車室内乗員側）へ向かって膨出する。これによって、エアバッグ本体１３は定位置に着座している助手席側の乗員の頭部等を受け止め、頭部等がインストルメントパネル２などにぶつからないように保護することができる。
【００２９】
本実施例では、メインリブ２１の間にサブリブ２４が配置されているので、外周リブ１８とメインリブ２１とが交わる部分に集中していた応力を、外周リブ１８とサブリブ２４とが交わる部分にも分散させることができる。その結果、エアバッグユニット１２の開裂時に、エアバッグリッド５Ａを脆弱線３に沿って均一に破断させることが可能となる。
【００３０】
次に、本実施例のように各メインリブ２１の間にサブリブ２４を設けた場合と、従来例（図６）のように各メインリブ２１の間にサブリブ２４が設けられていない場合とについて、エアバッグユニット開裂時の脆弱線３（ヒンジ部３Ａ近傍の脆弱線）付近の応力集中を測定したので、その結果について説明する。図５はその測定結果を示している。測定箇所は、図１および図６に示すようにａ〜ｋの１１箇所であり、◆は本実施例での測定結果を、■は従来例での測定結果をそれぞれ示している。
【００３１】
図５から分かるように、従来例では上下に変動が大きく、つまり応力集中が生じていることを示しているが、本実施例では上下変動が小さく、つまり応力が分散されていることを示している。
【００３２】
なお、本実施例においては、各メインリブ２１および各サブリブ２４がエアバッグリッド５の中央部を中心にして放射状に配置されていたが、各メインリブ２１および各サブリブ２４を脆弱線３に対して直角方向に配置してもよい。
【図面の簡単な説明】
【００３３】
【図１】エアバッグリッド付近におけるインストルメントパネルの裏面構成を示した図である。
【図２】脆弱線に近い側に設けられたボス部とその周囲の詳細構成を示した斜視図である。
【図３】脆弱線に遠い側に設けられたボス部とその周囲の詳細構成を示した斜視図である。
【図４】本発明に係る車両用エアバッグ装置が取り付けられたインストルメントパネルの断面図である。
【図５】応力集中の測定結果を示した図である。
【図６】従来技術による、エアバッグ付近におけるインストルメントパネルの裏面構成を示した図である。
【符号の説明】
【００３４】
１  車両用エアバッグ装置
２  インストルメントパネル
３  脆弱線
３Ａ，３Ｂ  ヒンジ部
４  インストルメントパネル
５，５Ａ，５Ｂ  エアバッグリッド
１２  エアバッグユニット
１８，１９，２０  外周リブ
２１  メインリブ
２２，２３  ボス部
２４  サブリブ
【図１】
2005254863.tif 000003
【図２】
2005254863.tif 000004
【図３】
2005254863.tif 000005
【図４】
2005254863.tif 000006
【図５】
2005254863.tif 000007
【図６】
2005254863.tif 000008